(57)【特許請求の範囲】
【請求項１】
被加熱物を加熱する加熱部と、前記加熱部を制御する加熱制御部と、閉とすることで前記加熱部への電源供給を行い、開とすることで前記加熱部への電源供給を遮断する電源開閉部と、オン操作により前記電源開閉部を閉とし、オフ操作により前記電源開閉部を開とする為の電源スイッチを含む開閉制御部と、少なくとも前記加熱部で消費されるエネルギーを積算するエネルギー積算部と、前記エネルギー積算部から積算されたエネルギー積算値を表示する表示部と、前記表示部を制御する表示制御部と、を備え、前記表示制御部は、前記加熱部の使用終了では前記エネルギー積算値を表示せずに、前記電源スイッチの前記オン操作から前記オフ操作までの前記エネルギー積算値を全部の調理が完了である前記オフ操作後に前記表示部に表示させる加熱調理器。
【請求項２】
前記表示制御部は、前記電源スイッチの前記オフ操作がされると、前記オン操作から前記オフ操作まで前記エネルギーを積算し前記エネルギー積算値を前記表示部に表示させる請求項１に記載の加熱調理器。
【請求項３】
被加熱物を加熱する加熱部と、前記加熱部を制御する加熱制御部と、閉とすることで前記加熱部への電源供給を行い、開とすることで前記加熱部への電源供給を遮断する電源開閉部と、オン操作により前記電源開閉部を閉とし、オフ操作により前記電源開閉部を開とする為の電源スイッチを含む開閉制御部と、少なくとも前記加熱部で消費されるエネルギーを積算するエネルギー積算部と、前記エネルギー積算部から積算されたエネルギー積算値を表示する表示部と、前記表示部を制御する表示制御部と、前記オフ操作がされると、前記オン操作から前記オフ操作までの前記エネルギー積算値を記憶する記憶部と、を備え、前記表示制御部は、前記オン操作から前記オフ操作までの前記エネルギー積算値を前記表示部に表示させるとともに、
前記表示制御部は、前記オン操作がされると、前記記憶部に記憶されている前記エネルギー積算値を前記表示部に表示させる加熱調理器。
【請求項４】
前記加熱制御部への命令を入力する操作部と、第１の所定時間の間、前記加熱制御部による加熱が行われず、かつ、前記操作部による操作が行われないと、前記開閉制御部により、前記電源開閉部を開にさせる電源自動オフ機能とを備え、前記表示制御部は、前記電源自動オフ機能が動作すると、前記オン操作から前記電源自動オフ機能が動作するまでの前記エネルギー積算値を前記表示部に表示させる請求項１〜３のいずれか一項に記載の加熱調理器。
【請求項５】
前記表示制御部は、前記エネルギー積算値の表示を表示開始から第２の所定時間経過後に終了する請求項１〜４のいずれか一項に記載の加熱調理器。
【請求項６】
前記表示制御部は、前記エネルギー積算値の表示時間を任意に変更できる請求項１〜５のいずれか一項に記載の加熱調理器。
【請求項７】
前記表示制御部は、前記エネルギー積算値の表示中に、前記操作部において所定の操作がされると前記エネルギー積算値の表示を終了する請求項４に記載の加熱調理器。
【請求項８】
前記エネルギー積算部が積算したエネルギー積算値から電気代を算出する電気代算出部を備え、前記表示制御部は、前記エネルギー積算値を表示することに替えて、前記電気代算出部が算出した電気代を表示する請求項１〜７のいずれか一項に記載の加熱調理器。
【請求項９】
前記表示制御部は、前記表示部への前記エネルギー積算値か前記電気代の少なくともどちらか一方の表示を任意に選択できる請求項８に記載の加熱調理器。
【発明の詳細な説明】
【技術分野】
【０００１】
本発明は、加熱調理器に関するものであり、特に、加熱調理でかかるエネルギー積算値または電気代を検知し、表示する機能を備えた複合加熱調理器に関するものである。
【背景技術】
【０００２】
従来、この種の加熱調理器は、加熱開始から加熱停止までの一つの調理に要した電気料金を表示装置に表示するものであった（例えば、特許文献１参照）。
【０００３】
特許文献１に記載された全体構成図において、外郭と、食品を加熱する加熱室と、加熱室を開閉する扉と、マイクロコンピューターを含む加熱装置の制御部に入力を行うための操作パネルと、入力キー群と、マイクロコンピューターの出力を表示する表示部とから構成された高周波加熱装置が示されている。
【先行技術文献】
【特許文献】
【０００４】
【特許文献１】実開昭６１−０２７０１２号公報
【発明の概要】
【発明が解決しようとする課題】
【０００５】
しかしながら、前記のように構成された従来の加熱調理器においては、加熱毎に電気料金が表示され、一回の料理で複数回の加熱を行う場合に、一回の料理全体に要した電気代を把握するのが困難な状況にあった。
【０００６】
本発明は、前記のように構成された従来の加熱調理器における課題を解決するものであり、一回の食事（例えば夕食時）において加熱部の複数回の使用が予想される加熱調理器でのエネルギー積算値またはトータルの電気代を容易に確認ができる加熱調理器を提供することを目的とする。
【課題を解決するための手段】
【０００７】
前記従来の課題を解決するために、本発明の加熱調理器は、被加熱物を加熱する加熱部と、前記加熱部を制御する加熱制御部と、閉とすることで前記加熱部への電源供給を行い、開とすることで前記加熱部への電源供給を遮断する電源開閉部と、オン操作により前記電源開閉部を閉とし、オフ操作により前記電源開閉部を開とする為の電源スイッチを含む開閉制御部と、少なくとも前記加熱部で消費されるエネルギーを積算するエネルギー積算部と、前記エネルギー積算部から積算されたエネルギー積算値を表示する表示部と、前記表示部を制御する表示制御部と、を備え、前記表示制御部は、前記加熱部の使用終了では前記エネルギー積算値を表示せずに、前記電源スイッチの前記オン操作から前記オフ操作までの前記エネルギー積算値を全部の調理が完了である前記オフ操作後に前記表示部に表示させるとしたものである。
【０００８】
これによって、一般的に、一回の食事（例えば夕食時）を開始する時にオン操作が行われ、全部の調理が完了してからオフ操作がされるので、複数の加熱部の使用や、加熱部の複数回の使用が予想される加熱調理器でのトータルのエネルギー積算値を容易に確認することができる。
【発明の効果】
【０００９】
本発明の加熱調理器は、一回の食事（例えば夕食時）で、複数の加熱部の使用や、加熱部の複数回の使用が予想される加熱調理器でのトータルのエネルギー積算値または電気代を容易に確認することができ、また、他の表示との誤認を防ぎ、また、他の操作や表示の
妨げを防ぎ、正確に電気代を確認できる。
【図面の簡単な説明】
【００１０】
【図１】本発明の実施の形態１の加熱調理器の全体構成を示すブロック図
【図２】本発明の実施の形態１の動作を示すフローチャート
【図３】本発明の実施の形態１又は８の表示部１５の表示例を示す図
【図４】本発明の実施の形態３の加熱調理器の全体構成を示すブロック図
【図５】本発明の実施の形態３の動作を示すフローチャート
【図６】本発明の実施の形態４の加熱調理器の全体構成を示すブロック図
【図７】本発明の実施の形態４の動作を示すフローチャート
【図８】本発明の実施の形態５の動作を示すフローチャート
【図９】本発明の実施の形態７の動作を示すフローチャート
【図１０】本発明の実施の形態８の加熱調理器の全体構成を示すブロック図
【図１１】本発明の実施の形態８の動作を示すフローチャート
【発明を実施するための形態】
【００１１】
第１の発明は、被加熱物を加熱する加熱部と、前記加熱部を制御する加熱制御部と、閉とすることで前記加熱部への電源供給を行い、開とすることで前記加熱部への電源供給を遮断する電源開閉部と、オン操作により前記電源開閉部を閉とし、オフ操作により前記電源開閉部を開とする為の電源スイッチを含む開閉制御部と、少なくとも前記加熱部で消費されるエネルギーを積算するエネルギー積算部と、前記エネルギー積算部が積算したエネルギー積算値を表示する表示部と、前記表示部を制御する表示制御部と、を備え、前記表示制御部は、前記加熱部の使用終了では前記エネルギー積算値を表示せずに、前記電源スイッチの前記オン操作から前記オフ操作までの前記エネルギー積算値を全部の調理が完了である前記オフ操作後に前記表示部に表示させることにより、一回の食事（例えば夕食時）で、複数の加熱部の使用や、加熱部の複数回の使用が予想される加熱調理器でのトータルのエネルギー使用量を表示することができ、使用者が一回の食事にかかったエネルギー使用量を容易に確認することができる。
【００１２】
第２の発明は、特に、第１の発明の動作において、前記表示制御部は、前記電源スイッチの前記オフ操作がされると、前記オン操作から前記オフ操作まで前記エネルギーを積算し前記エネルギー積算値を前記表示部に表示させることにより、他の表示と表示場所やタイミングが重ならなくなり、他の表示の妨げや使用者の誤認を防ぐことができる。
【００１３】
第３の発明は、被加熱物を加熱する加熱部と、前記加熱部を制御する加熱制御部と、閉とすることで前記加熱部への電源供給を行い、開とすることで前記加熱部への電源供給を遮断する電源開閉部と、オン操作により前記電源開閉部を閉とし、オフ操作により前記電源開閉部を開とする為の電源スイッチを含む開閉制御部と、少なくとも前記加熱部で消費されるエネルギーを積算するエネルギー積算部と、前記エネルギー積算部から積算されたエネルギー積算値を表示する表示部と、前記表示部を制御する表示制御部と、前記オフ操作がされると、前記オン操作から前記オフ操作までの前記エネルギー積算値を記憶する記憶部と、を備え、前記表示制御部は、前記オン操作から前記オフ操作までの前記エネルギー積算値を前記表示部に表示させるとともに、前記表示制御部は、前記オン操作がされると、前記記憶部に記憶されている前記エネルギー積算値を前記表示部に表示させることにより、他の表示と表示場所やタイミングが重ならなくなり、誤認を防ぐことができる。
【００１４】
第４の発明は、特に、第１〜３のいずれか一つの発明の構成及び動作において、前記加熱制御部への命令を入力する操作部と、第１の所定時間の間、前記加熱制御部による加熱が行われず、かつ、前記操作部による操作が行わないと、前記電源開閉部を開にさせる電源自動オフ機能とを備え、前記表示制御部は電源自動オフ機能が動作すると、前記オン操作から電源自動オフ機能が動作するまでの前記エネルギー積算値を前記表示部に表示させることにより、電源自動オフ機能が働いた場合もエネルギー積算値を確認することができるようになり、電源を消し忘れた場合でもエネルギー積算値を確認することができる。
【００１５】
第５の発明は、特に、第１〜４のいずれか一つの発明の動作において、前記表示制御部は、前記エネルギー積算値の表示を表示開始から第２の所定時間経過後に終了することにより、他の表示との表示場所や表示タイミングが重ならなくなり、誤認や誤操作を防ぐことができる。
【００１６】
第６の発明は、特に、第１〜５のいずれか一つの発明の動作において、前記表示制御部は、前記エネルギー積算値の表示時間を任意に変更できることにより、前記エネルギー積算値の表示時間を変更することが出来るようになり、使用者が確認しやすくかつ、誤認しにくい、任意の表示時間に変更することができる。
【００１７】
第７の発明は、特に、第４の発明の動作において、前記表示制御部は、前記エネルギー積算値の表示中に、前記操作部において、所定の操作がされると前記エネルギー積算値の表示を終了することを特徴とすることにより、エネルギー積算値の表示中に他の所定の操作がされるとエネルギー積算値の表示が終了となり、他の操作や表示の妨げになるのを防止することができる。
【００１８】
第８の発明は、特に、第１〜７のいずれか一つの発明の構成及び動作において、前記エネルギー積算部が積算したエネルギー積算値から電気代を算出する電気代算出部を備え、前記表示制御部は、前記エネルギー積算値を表示することに替えて、前記電気代算出部が算出した電気代を表示することにより、一回の食事（例えば夕食時）で、複数の加熱部の使用や、加熱部の複数回の使用が予想される加熱調理器でのトータルの電気代を表示することができ、使用者が一回の食事にかかった電気代を容易に確認することができる。
【００１９】
第９の発明は、特に、第８の発明の動作において、前記表示制御部は前記表示部への前記エネルギー積算値か前記電気代の少なくともどちらか一方の表示を任意に選択できることにより、前記エネルギー積算値か前記電気代もしくはその両方を確認することができ、使用者が自分に合った表示形式を選択することができる。
【００２０】
以下、本発明の加熱調理器に係る実施の形態について、添付の図面を参照しながら説明する。なお、本発明は、以下の実施の形態に記載した具体的な構成に限定されるものではなく、実施の形態において説明する技術的思想と同様の技術的思想及び当技術分野における技術常識に基づいて構成されるものを含むものである。
【００２１】
（実施の形態１）
図１は本発明に係る実施の形態１の加熱調理器の全体構成を示すブロック図である。
【００２２】
図１に示すように、実施の形態１の加熱調理器は、当該加熱調理器の上面に設けられたセラミック製のトッププレート１と、高周波磁界を発生させることによって、トッププレート１上の調理容器２（左調理容器２ａ及び右調理容器２ｂ）を誘導加熱する加熱コイル３（左コイル３ａ及び右コイル３ｂ）と抵抗による発熱によりトッププレート１上の調理容器２（調理容器２ｃ）を加熱するラジェントヒーター４で構成される加熱部５とを備え、トッププレート１は、ガラスなどの電気絶縁物からなる。誘導加熱コイルである加熱コイル３は、トッププレート１の下方の手前側左部に左コイル３ａが、手前側右部に右コイル３ｂがそれぞれ設けられている。抵抗であるラジェントヒーター４は、トッププレート１の下方の後ろ側中央に設けられている。なお、本発明の加熱調理器において、加熱部５の構成は、実施の形態１の構成に限定されるものではなく、被加熱物を加熱できるものであればよい。
【００２３】
また、閉とすることで加熱部５への電源供給を行い、開とすることで加熱部５への電源供給を遮断する電源開閉部６と、オン操作により電源開閉部６を閉とし、オフ操作により電源開閉部６を開とする為の電源スイッチ７を含む開閉制御部８を備え、電源スイッチ７は、本発明の加熱調理器の使用者が実行できる領域に設けられている。なお、本発明の加熱調理器において、電源スイッチ７の設置場所は、実施の形態１の構成に限定されるものではなく、使用者が操作できるところであればよい。
【００２４】
また、加熱部５の下方には、商用電源９から供給される交流電圧から高周波電流を生成し、生成した高周波電流を加熱コイル３に出力するインバータ部１０（左インバータ部１０ａ及び右インバータ部１０ｂ）と、商用電源９から供給される交流電圧を、ラジェントヒーター４に印加するオンオフ制御を行うラジェント部１１で構成される加熱制御部１２が設けられている。
【００２５】
また、加熱制御部１２と商用電源９との間に設置された、加熱部５に供給される電流を検出するカレントトランス１３を含み、カレントトランスが検出した検出値を積算し、加熱部５に供給された積算エネルギーを算出するエネルギー積算部１４が設けられている。なお、本発明の加熱調理器において、カレントトランス１３の設置位置は、実施の形態１の構成に限定されるものではなく、少なくとも加熱部５に供給される電流を検出できればよい。なお、本発明の加熱調理器において、エネルギー積算部の構成は、実施の形態１の構成に限定されるものではなく、少なくとも加熱部５で消費されるエネルギーを積算できれば良い。例えば、商用電源９とインバータ部１０との間に商用電源９からインバータ部１０に供給される入力電流を検出するためのカレントトランス１３を設け、商用電源９からラジェント部１１に供給される積算エネルギーをラジェントヒーター４が加熱された時間から予測し、加熱部５に供給された積算エネルギーを算出してもよい。
【００２６】
また、エネルギー積算部１４が積算したエネルギー積算値を表示する表示部１５と、表示部１５を制御する表示制御部１６とを備え、表示部１５は調理容器２が載置される領域の前面に設けられている。なお、本発明の加熱調理器において、表示部１５の設置場所は、実施の形態１の構成に限定されるものではなく、使用者が視認できる場所であれば良い。
【００２７】
また、加熱制御部１２への命令を入力する操作部１７を備え、操作部１７はトッププレート１の使用者が実行できる領域に設けられている。なお、本発明の加熱調理器において、操作部１７の設置場所は、実施の形態１の構成に限定されるものではなく、使用者が操作できるところであればよい。
【００２８】
以上のように構成された加熱調理器について、以下、その動作を説明する。
【００２９】
図２は、本実施の形態１の動作を示すフローチャートである。
【００３０】
図３（ａ）、（ｂ）は、本発明の実施の形態１のエネルギー積算値の表示例である。
【００３１】
図２において、まず、加熱部５への電源供給が遮断された状態である電源オフモード（ＳＴＥＰ０）からスタートし、ＳＴＥＰ１にて電源開閉部６を閉とするオン操作が行われたかどうかの判定を行う。オン操作がされると、エネルギー積算部１４はカレントトランス１３から検出される検出値の積算を開始する（ＳＴＥＰ２）。以降、加熱部にて、加熱調理を行うと、エネルギー積算部１４による積算値に検出値が加算され増加していく。そして、ＳＴＥＰ３で電源開閉部６を開とするオフ操作がされたのを検出すると、エネルギー積算部１４はカレントトランス１３から検出される検出値の積算を終了する（ＳＴＥＰ４）。そして、ＳＴＥＰ５に移行し、表示制御部１６はオン操作からオフ操作（ＳＴＥＰ２からＳＴＥＰ４）までの検出値の積算値であるエネルギー積算値を表示部１５に表示する。表示方法は、例えば、図３（ａ）、（ｂ）に示すように、数字や単位でわかりやすく表示したり、レベルバーなどで表示して、一目で見て分かり易くするのが望ましい。
【００３２】
なお、本発明の加熱調理器において、表示方法は、実施の形態１に限定されるものではなく、記号やメーター表示などで表示しても同様の効果が得られる。
【００３３】
以上のことから、実施の形態１の加熱調理器によれば、オン操作からオフ操作までに使用したエネルギー積算値を表示部１５に表示することにより、一回の食事（例えば夕食時）において加熱部の複数回の使用が予想される加熱調理器でのトータルのエネルギー使用量を容易に確認することができる。
【００３４】
なお、本発明の加熱調理器において、本実施の形態１では記載していないが、エネルギーの検出値は加熱部に限定するものではなく、例えば、冷却用のファンや制御回路に直流電流を供給する電源回路、表示点灯用の素子にて消費するエネルギーも加算する構成としても良い。
【００３５】
また、本発明の加熱調理器において、エネルギーの検出値の積算方法は実施の形態１に限定されるものではなく、正確に積算値を求めることができればよく、例えば、サンプリング周期を短くしたり、検出値を細かくしたりすることにより精度を高めることができる。
【００３６】
（実施の形態２）
次に、本発明に係る実施の形態２の加熱調理器について、前述の図１、および図２を参照しながら説明する。実施の形態２は表示制御部１６の機能に特徴があり、表示制御部１６以外の構成、機能は実施の形態１と共通である。よって、実施の形態１の加熱調理器において説明したものと同じ、機能、構成を有するものには同一符号を用いて、その説明を省略する。
【００３７】
実施の形態１では明確には記載していないが、実施の形態２の表示制御部１６では、オフ操作がされると、すぐに、表示部１５にオン操作からオフ操作までのエネルギー積算値を表示する構成としている。
【００３８】
以上のことから、実施の形態２の加熱調理器によれば、表示のタイミングをオフ操作がされると、すぐに、表示部１５にエネルギー積算値を表示させることにより、他の表示と表示場所や表示タイミングが重ならなくなり、他の表示の妨げや使用者の誤認を防ぐことができる。
【００３９】
（実施の形態３）
次に、本発明に係る実施の形態３の加熱調理器について、図４及び５を参照しながら説明する。実施の形態３は表示制御部１６の構成、機能に特徴があり、表示制御部１６以外の構成、機能は実施の形態１又は２のいずれか一項と共通である。よって、実施の形態１又は２のいずれか一項の加熱調理器において説明したものと同じ、機能、構成を有するものには同一符号を用いて、その説明を省略する。
【００４０】
図４は本発明に係る実施の形態３の加熱調理器の全体構成を示すブロック図である。
【００４１】
図４に示すように、実施の形態３の表示制御部１６は、オフ操作がされると、エネルギー積算部１４から送信された、オン操作からオフ操作までのエネルギー積算値を、記憶する記憶部１９を新たに加えた構成となっている。
【００４２】
以上のように構成された加熱調理器について、以下、その機能を説明する。
【００４３】
図５は、本実施の形態３の動作を示すフローチャートである。
【００４４】
図５において、まず、ＳＴＥＰ３にてオフ操作がされ、エネルギー積算部１４がオン操
作からオフ操作までの検出値の積算を終了すると、ＳＴＥＰ６に移行し、表示制御部１６は記憶部１９にオン操作からオフ操作までの検出値の積算であるエネルギー積算値をエネルギー積算記憶値Ａとして記憶する。そして、ＳＴＥＰ５にて表示部１５に積算されたエネルギー積算値を表示させる。その後、電源がオフされ、そして、次にＳＴＥＰ１にてオン操作がされると、記憶部１９に記憶されているエネルギー積算記憶値Ａを表示部１５に表示する（ＳＴＥＰ７）。
【００４５】
以上のことから、実施の形態３の加熱調理器によれば、表示制御部１６はオフ操作がされると、記憶部１９にオン操作からオフ操作までのエネルギー積算値を記憶させ、表示部１５にエネルギー積算値を表示させる。そして、次にオン操作がされると、記憶部１９に記憶されているエネルギー積算記憶値Ａを表示部１５に表示させることにより、オフ操作がされたときとオン操作がされたときの二回にわたり表示部１５にエネルギー積算値が表示され、確認のし忘れや誤認を防ぐことが出来る。
【００４６】
また、オフ操作時とオン操作時の二回にわたりエネルギー積算値を表示することで、見忘れや記憶違いを防止することができる。
【００４７】
なお、本発明の加熱調理器において、エネルギー積算値の表示開始タイミングは、実施の形態３に限定されるものではなく、オン操作がされた時とオフ操作がされた時の少なくともどちらか一方を表示部１５に表示すれば良い。
【００４８】
なお、本発明の加熱調理器において、ＳＴＥＰ５での表示部１５への表示物は、実施の形態３に限定されるものではなく、ＳＴＥＰ６で記憶部１９に記憶されたエネルギー積算記憶値Ａを表示しても良い。
【００４９】
なお、本発明の加熱調理器において、記憶部１９は表示制御部１６に含まれる構成としていたが、記憶部１９は独立した構成としても同等の効果が得られる。
【００５０】
（実施の形態４）
次に、本発明に係る実施の形態４の加熱調理器について、図６及び図７を参照しながら説明する。実施の形態４は開閉制御部８と表示制御部１６の構成、機能に特徴があり、開閉制御部８と表示制御部１６以外の構成、機能は実施の形態１〜３のいずれか一項と共通である。よって、実施の形態１〜３のいずれか一項の加熱調理器において説明したものと同じ、機能、構成を有するものには同一符号を用いて、その説明を省略する。
【００５１】
図６は本発明に係る実施の形態４の加熱調理器の全体構成を示すブロック図である。
【００５２】
図６に示すように、実施の形態４の開閉制御部８は、所定時間の間、加熱制御部１２による加熱が行われず、かつ、操作部１７による操作が行われないと、開閉制御部８により、電源開閉部６を開にさせる電源自動オフ機能２０を新たに加えた構成となっている。
【００５３】
以上のように構成された加熱調理器について、以下、その動作を説明する。
【００５４】
図７は、本実施の形態４の動作を示すフローチャートである。
【００５５】
図７において、まず、ＳＴＥＰ２にてエネルギー積算部１４による検出値の積算が開始されている状態で、所定時間の間、加熱制御部１２による加熱が行われず、かつ、操作部１７による操作が行われないと、ＳＴＥＰ８にて電源自動オフ機能２０が動作したことを検出し、ＳＴＥＰ４に移行し、エネルギー積算部１４による積算を終了する。そして、その後、ＳＴＥＰ５にてオン操作から電源自動オフ機能２０が動作するまで（ＳＴＥＰ２か
らＳＴＥＰ４まで）のエネルギー積算値を表示部１５に表示する。
【００５６】
以上のことから、実施の形態４の加熱調理器によれば、開閉制御部８は所定時間の間、加熱制御部１２による加熱が行われず、かつ、操作部１７による操作が行われないと、開閉制御部８により、電源開閉部６を開にさせる電源自動オフ機能２０を新たに備え、表示制御部１６は電源自動オフ機能２０が動作すると、オン操作から電源自動オフ機能２０が動作するまでのエネルギー積算値を表示部１５に表示させることにより、電源自動オフ機能２０が働いた場合もエネルギー積算値を確認することができるようになり、電源を消し忘れた場合でもエネルギー使用量を確認することができる。
【００５７】
（実施の形態５）
次に、本発明に係る実施の形態５の加熱調理器について、前述の図６、及び図８を参照しながら説明する。実施の形態５は表示制御部１６の機能に特徴があり、表示制御部１６以外の構成、機能は実施の形態１〜４のいずれか一項と共通である。よって、実施の形態１〜４のいずれか一項の加熱調理器において説明したものと同じ、機能、構成を有するものには同一符号を用いて、その説明を省略する。
【００５８】
図８は、本実施の形態５の動作を示すフローチャートである。
【００５９】
図８において、実施の形態５の表示制御部１６は、ＳＴＥＰ５にて表示制御部１６が積算されたエネルギー積算値を表示部１５に表示してから、Ｔａ秒経過すると（ＳＴＥＰ９）、積算されたエネルギー積算値の表示部１５への表示を終了（ＳＴＥＰ１０）し、そして、ＳＴＥＰ０へ移行する。さらに、表示制御部１６は、ＳＴＥＰ７にて記憶されたエネルギー積算記憶値Ａの表示部１５への表示開始から、Ｔｂ秒経過すると（ＳＴＥＰ１１）、記憶されたエネルギー積算記憶値Ａの表示を終了（ＳＴＥＰ１２）し、そして、ＳＴＥＰ２へ移行する。
【００６０】
以上のことから、表示制御部１６はエネルギー積算値の表示を、表示開始から所定時間経過後に終了することを特徴とすることにより、表示部１５での他の表示との表示場所や表示タイミングが重ならなくなり、誤認や誤操作を防ぐことができる。
【００６１】
なお、本実施の形態５の加熱調理器において、表示時間（Ｔａ及びＴｂ）は、実施の形態５の構成に限定されるものではなく、ＴａとＴｂが同じ値でも良いし、異なる値でも良いが、電源オン時は次の加熱動作などの操作をすることが想定され、表示し続けるのが操作の妨げになる可能性があるので、電源オフ時よりも電源オン時の表示時間を短くする方が好ましい。
【００６２】
（実施の形態６）
次に、本発明に係る実施の形態６の加熱調理器について、前述の図６及び図８を参照しながら説明する。実施の形態６は表示制御部１６の機能に特徴があり、表示制御部１６以外の構成、機能は実施の形態１〜５のいずれか一項と共通である。よって、実施の形態１〜５のいずれか一項の加熱調理器において説明したものと同じ、機能、構成を有するものには同一符号を用いて、その説明を省略する。
【００６３】
実施の形態６の表示制御部１６は、操作部１７にて所定の操作が行われると、任意に表示時間（Ｔａ及びＴｂ）を変更でき、例えば、オン操作がされてからオフ操作がされるまでの間に操作部１７にて所定の操作が行われると、表示時間（Ｔａ及びＴｂ）を使用者が任意に変更できる。
【００６４】
以上のことから、表示制御部１６はエネルギー積算値の表示時間を任意に変更できるこ
とを特徴とすることにより、エネルギー積算値の表示時間を使用者が自分に合った時間に変更することが出来るようになり、使用者が確認しやすくかつ、誤認しにくい、任意の表示時間に変更することができる。
【００６５】
なお、本実施の形態６の加熱調理器において、表示時間の変更方法は、実施の形態６の構成に限定されるものではなく、例えば、電源スイッチ７のオン／オフと操作部１７への特定の入力との組み合わせなどでも実現可能である。さらには、音声認識機能を備え、外部からの音声入力による変更方法でも良い。
【００６６】
（実施の形態７）
次に、本発明に係る実施の形態７の加熱調理器について、前述の図６、及び図９を参照しながら説明する。実施の形態７は表示制御部１６の機能に特徴があり、表示制御部１６以外の構成、機能は実施の形態１〜６のいずれか一項と共通である。よって、実施の形態１〜６のいずれか一項の加熱調理器において説明したものと同じ、機能、構成を有するものには同一符号を用いて、その説明を省略する。
【００６７】
図９は、本実施の形態７の動作を示すフローチャートである。
【００６８】
図９において、実施の形態７の表示制御部１６は、ＳＴＥＰ３にてオフ操作が行われるか、もしくは、ＳＴＥＰ８にて電源自動オフ機能２０が動作したのを検出すると、ＳＴＥＰ４に移行し、エネルギー積算部１４による積算を終了する。そして、ＳＴＥＰ５にて、積算されたエネルギー積算値の表示部１５への表示を開始してからＴａ秒経過する前に、操作部１７にて所定の操作Ｓａがされると（ＳＴＥＰ１３）、積算されたエネルギー積算値の表示部１５への表示を終了する（ＳＴＥＰ１０）。また、ＳＴＥＰ１にてオン操作が行われると、ＳＴＥＰ７に移行しエネルギー積算記憶値Ａを表示部１５に表示する。そして、表示開始からＴｂ秒経過前に、操作部１７にて所定の操作Ｓｂがされると（ＳＴＥＰ１４）、記憶されたエネルギー積算記憶値Ａの表示を終了する。（ＳＴＥＰ１２）
以上のことから、電気代表示中に操作部１７にて所定の操作（Ｓａ及びＳｂ）がされるとエネルギー積算値の表示が終了となり、他の操作や表示の妨げになるのを防止することができる。
【００６９】
なお、本実施の形態７の加熱調理器において、エネルギー積算値及びエネルギー積算記憶値Ａの表示部１５への表示終了（ＳＴＥＰ１０とＳＴＥＰ１２）の条件は、実施の形態７の構成に限定されるものではなく、時間による条件と所定の操作による条件の少なくともどちらか一方が条件としてあればよい。
【００７０】
なお、本実施の形態７の加熱調理器において、所定の操作ＳａとＳｂは実施の形態７の構成に限定されるものではなく、同じ操作でも良いし、異なる操作でも良いし、それぞれ複数の操作を含むものでも良い。
【００７１】
（実施の形態８）
次に、本発明に係る実施の形態８の加熱調理器について、図３（ｃ）と図１０と図１１を参照しながら説明する。実施の形態８は表示制御部１６の構成、機能に特徴があり、表示制御部１６以外の構成、機能は実施の形態１〜７のいずれか一項と共通である。よって、実施の形態１〜７のいずれか一項の加熱調理器において説明したものと同じ、機能、構成を有するものには同一符号を用いて、その説明を省略する。
【００７２】
図３（ｃ）は、本実施の形態８の電気代の表示例である。
【００７３】
図１０は本発明に係る実施の形態８の加熱調理器の全体構成を示すブロック図である。
【００７４】
図１０に示すように、実施の形態８の表示制御部１６は、エネルギー積算部１４が積算したエネルギー積算値から電気代を算出する電気代算出部１８を新たに加えた構成となっている。
【００７５】
以上のように構成された加熱調理器について、以下、その機能を説明する。
【００７６】
図１１は、本実施の形態８の動作を示すフローチャートである。
【００７７】
図１１において、ＳＴＥＰ３で電源開閉部６を開とするオフ操作がされたのを検出し、エネルギー積算部１４はカレントトランス１３から検出される検出値の積算を終了する（ＳＴＥＰ４）と、ＳＴＥＰ１５に移行し、電気代算出部１８は、オン操作からオフ操作（ＳＴＥＰ２からＳＴＥＰ４）までの検出値の積算値であるエネルギー積算値から電気代を算出する。電気代の算出の仕方は、例えば、エネルギー積算部で検出された積算値（ｋＷｈ）にあらかじめ記憶しておいたエネルギーに対する電気代の単価（円／ｋＷｈ）を掛け合わせることにより、容易に求めることが出来る。
【００７８】
そして、ＳＴＥＰ１７に移行し、表示制御部１６は記憶部１９に算出された電気代を電気代記憶値Ｂとして記憶する。そして、ＳＴＥＰ１６にて表示部１５に算出された電気代を表示させる。そして、ＳＴＥＰ１６にて算出された電気代を表示部１５に表示してからＴａ秒経過する（ＳＴＥＰ１９）か、操作部１７にて所定の操作Ｓａがされる（ＳＴＥＰ１３）と、算出された電気代の表示部１５への表示を終了する（ＳＴＥＰ２０）。
【００７９】
その後、電源がオフされ、そして、次にＳＴＥＰ１にてオン操作がされると、記憶部１９に記憶されている電気代記憶値Ｂを表示部１５に表示する（ＳＴＥＰ１８）。そして、ＳＴＥＰ１８にて記憶された電気代記憶値Ｂの表示部１５への表示開始から、Ｔｂ秒経過する  （ＳＴＥＰ２１）か、操作部１７にて所定の操作Ｓｂがされる（ＳＴＥＰ１４）と、記憶された電気代記憶値Ｂの表示を終了（ＳＴＥＰ２２）し、そして、ＳＴＥＰ２へ移行する。また、表示方法は、例えば、図３（ｃ）に示すように、数字や単位でわかりやすく表示するのが望ましい。
【００８０】
以上のことから、実施の形態８の加熱調理器によれば、オン操作からオフ操作までに使用したエネルギーを電気代に変換して表示部１５に表示することにより、一回の食事（例えば夕食時）において加熱部の複数回の使用が予想される加熱調理器でのトータルの電気代を容易に確認することができ、エネルギー表示よりも、使用者が、より実感できる分かり易い表示とすることができる。
【００８１】
なお、本発明の加熱調理器において、電気代算出部１８は表示制御部１６に含まれる構成としていたが、電気代算出部１８は独立した構成としても同等の効果が得られる。
【００８２】
なお、本発明の加熱調理器において、表示制御部１６は電気代を表示部１５に表示する構成としていたが、これに限定されるものではなく、電気代とエネルギー積算値の少なくとも一方を表示する構成としても良い。
【００８３】
なお、本発明の加熱調理器において、表示制御部１６は、記憶部１９にオン操作からオフ操作までの電気代を記憶させ、電気代記憶値Ａを表示部１５に表示させる構成としているが、これに限定されるものではなく、表示制御部１６は、記憶部１９にオン操作からオフ操作までのエネルギー積算値をエネルギー積算記憶値Ａとして記憶させ、電気代算出部１８は記憶部１９に記憶されているエネルギー積算記憶値Ａから電気代を算出し、表示部１５に算出された電気代を表示する構成としても良い。
【００８４】
（実施の形態９）
次に、本発明に係る実施の形態９の加熱調理器について、前述の図１０及び図１１を参照しながら説明する。実施の形態９は表示制御部１６の機能に特徴があり、表示制御部１６以外の構成、機能は実施の形態８と共通である。よって、実施の形態８の加熱調理器において説明したものと同じ、機能、構成を有するものには同一符号を用いて、その説明を省略する。
【００８５】
実施の形態９の表示制御部１６は、前記表示部１５への表示形式を、前記エネルギー積算値の表示か前記電気代の表示のどちらかに、任意に選択でき、例えば、オン操作がされてからオフ操作がされるまでの間に操作部１７にて所定の操作が行われると、エネルギー積算値の表示か電気代の表示のどちらかを使用者が選択できる。また、表示内容の選択方法である所定の操作は、専用の切り替え手段を設けても良いし、複数キーの組み合わせによる操作としても良い。
【００８６】
以上のことから、実施の形態９の加熱調理器によれば、表示制御部１６は表示部１５への表示形式を、電気代かエネルギー積算値か、使用者が任意に選択できるようにすることにより、使用者が知りたい情報（電気代かエネルギー積算値）を状況に合わせて提供できるようになり、使用者のニーズに幅広く応えることができる。
【００８７】
なお、本発明の加熱調理器において、表示部１５の表示形式は、実施の形態９に限定されるものではなく、電気代とエネルギー積算値の両方を表示しても良い。また、その場合の表示方法は、使用者が正確に確認できればよく、例えば、電気代とエネルギー積算値を交互に表示しても良いし、表示部１５が複数の表示できる場所を有し、その複数の表示できる場所に、それぞれ電気代とエネルギー積算値を同時に表示しても良い。
【００８８】
なお、本発明の加熱調理器において、表示制御部１６は、記憶部１９にオン操作からオフ操作までの電気代を記憶させ、電気代記憶値Ａを表示部１５に表示させる構成としているが、これに限定されるものではなく、表示制御部１６は、記憶部１９にオン操作からオフ操作までのエネルギー積算値をエネルギー積算記憶値Ａとして記憶させ、電気代算出部１８は記憶部１９に記憶されているエネルギー積算記憶値Ａから電気代を算出し、表示部１５に算出された電気代を表示する構成としても良い。
【産業上の利用可能性】
【００８９】
以上のように、本発明にかかる加熱調理器は、電源を切ると電源をオンしてからオフするまでに要した電気代を表示することで、一回の食事（例えば夕食時）において、複数の加熱部の使用や、加熱部の複数回の使用が予想される加熱調理器での電気代を容易に確認することが可能となるので、電源スイッチが存在し、電源オン中に、複数の加熱部の使用か加熱部の複数回の使用の少なくともどちらか一方がおこる可能性がある、組み込み式、テーブルの上で使用する卓上型、又は置き台の上で使用する据え置き型等において、家庭用又は業務用として広範囲に適用できる。
【符号の説明】
【００９０】
１  トッププレート
２、２ａ、２ｂ、２ｃ  調理容器
３  加熱コイル
４  ラジェントヒーター
５  加熱部
６  電源開閉部
７  電源スイッチ
８  開閉制御部
９  商用電源
１０  インバータ部
１１  ラジェント部
１２  加熱制御部
１３  カレントトランス
１４  エネルギー積算部
１５  表示部
１６  表示制御部
１７  操作部
１８  電気代算出部
１９  記憶部
２０  電源自動オフ機能
【図１】
0005919463.tif 000002
【図２】
0005919463.tif 000003
【図３】
0005919463.tif 000004
【図４】
0005919463.tif 000005
【図５】
0005919463.tif 000006
【図６】
0005919463.tif 000007
【図７】
0005919463.tif 000008
【図８】
0005919463.tif 000009
【図９】
0005919463.tif 000010
【図１０】
0005919463.tif 000011
【図１１】
0005919463.tif 000012